(57)【要約】【課題】バーナチップ及び燃焼バーナ並びにボイラにおいて、流体燃料と噴霧媒体の混合を促進することで流体燃料の噴霧粒径を小さくして燃焼性を向上させる。【解決手段】内部に設けられる混合室８４と、基端部が混合室８４に連通すると共に先端部が開口して周方向に所定間隔で配置される複数の混合流体噴出孔８２と、混合流体噴出孔８２に設けられて通路面積を拡大する段付部９１と、流体燃料を混合室８４に供給する燃料供給通路８８と、蒸気を混合室８４に供給する蒸気供給通路８７とを設ける。【選択図】図１
2015064131.tif 000002
【特許請求の範囲】
【請求項１】
チップ本体と、
前記チップ本体の内部に設けられる混合室と、
基端部が前記混合室に連通すると共に先端部が前記チップ本体の先端に開口して前記チップ本体の周方向に所定間隔で配置される複数の混合流体噴出孔と、
前記混合流体噴出孔に設けられて通路面積を拡大する段付部と、
流体燃料を前記混合室に供給する流体燃料供給通路と、
噴霧媒体を前記混合室に供給する噴霧媒体供給通路と、
を有することを特徴とするバーナチップ。
【請求項２】
前記混合流体噴出孔は、円形の通路形状をなし、前記段付部が全周に設けられることで、前記混合室側に位置する小径の第１噴出孔と、前記チップ本体の先端側に位置する大径の第２噴出孔とが設けられることを特徴とする請求項１に記載のバーナチップ。
【請求項３】
前記噴霧媒体供給通路は、前記チップ本体の基端側に複数設けられ、噴霧媒体を前記混合室に軸心方向に沿って供給可能であり、前記流体燃料供給通路は、前記チップ本体の基端側で前記噴霧媒体供給通路より外側に複数設けられ、流体燃料を前記混合室に径方向に沿って供給可能であることを特徴とする請求項１または請求項２に記載のバーナチップ。
【請求項４】
前記チップ本体における鉛直方向の最上部及び最下部にある前記混合流体噴出孔に対して、前記チップ本体における鉛直方向の最上部と最下部との間にある前記混合流体噴出孔が軸心側に配置されることを特徴とする請求項１から請求項３のいずれか一項に記載のバーナチップ。
【請求項５】
前記複数の混合流体噴出孔は、前記チップ本体の軸心上にある１点を中心として放射状に形成されることを特徴とする請求項１から請求項４のいずれか一項に記載のバーナチップ。
【請求項６】
前記チップ本体は、前記混合流体噴出孔が形成されるスプレイプレートと、前記流体燃料供給通路及び前記噴霧媒体供給通路が形成されるバックプレートとが連結されて構成され、前記スプレイプレートと前記バックプレートにより前記混合室が区画されると共に、前記流体燃料供給通路の一部が区画されることを特徴とする請求項１から請求項５のいずれか一項に記載のバーナチップ。
【請求項７】
風箱と、
前記風箱における鉛直方向の中央部に配置される燃料コンパートメントと、
前記燃料コンパートメントの中央部に配置されるバーナガンと、
前記風箱における鉛直方向の上部及び下部に配置される上下一対の補助空気コンパートメントと、
を有し、
前記バーナガンの先端部に前記請求項１から請求項６のいずれか一項に記載のバーナチップが配置されることを特徴とする燃焼バーナ。
【請求項８】
中空形状をなす火炉内で燃料と空気を燃焼させると共に、前記火炉内で熱交換を行って熱を回収するボイラにおいて、
火炉壁に前記請求項７の燃焼バーナが配置されることを特徴とするボイラ。
【発明の詳細な説明】
【技術分野】
【０００１】
本発明は、流体燃料と噴霧媒体とを混合することで霧状にして噴出するバーナチップ、このバーナチップから噴出された流体燃料と噴霧媒体との混合体により火炎を形成する燃焼バーナ、この燃焼バーナを使用するボイラに関するものである。
【背景技術】
【０００２】
一般的な油焚きボイラは、中空形状をなして鉛直方向に設置される火炉を有し、この火炉壁に複数の燃焼バーナが周方向に沿って配設されると共に、上下方向に複数段にわたって配置されている。この燃焼バーナは、液体燃料を噴霧媒体により霧化させた状態で火炉内に吹き込むことで火炎を形成し、この火炉内で燃焼可能となっている。そして、この火炉は、上部に煙道が連結され、この煙道に排ガスの熱を回収するための過熱器、再熱器、節炭器などが設けられており、火炉での燃焼により発生した排ガスと水との間で熱交換が行われ、蒸気を生成することができる。
【０００３】
この油焚きボイラで使用される燃焼バーナは、液体燃料と噴霧媒体の供給配管の先端部にバーナチップが設けられて構成されている。このバーナチップは、液体燃料と噴霧媒体とを混合した後、先端に形成された複数の噴出孔から噴出可能となっている。そして、このバーナチップにて、重質燃料などのようなＮＯｘや煤塵を多く発生させる燃料を使用する場合、高い燃焼性を確保してＮＯｘや煤塵の低減を図る必要がある。そのため、バーナチップにおける噴出孔の数を増加させることが考えられるが、噴出孔の数を増加させると、隣接する噴出孔の距離が短くなり、噴流同士が干渉しあって薄膜状になり、周囲の空気が取り込みにくくなって着火不良や燃焼不良を引き起こす可能性がある。
【０００４】
このような問題を解決するバーナチップとして、例えば、下記特許文献に記載されたものがある。特許文献１に記載された内部混合式アトマイザは、燃料供給路と燃料を微粒化する微粒化媒体供給路と、燃料供給路から供給される燃料と微粒化媒体路から供給される微粒化媒体を混合する混合室と、混合室内の混合流体を外部に噴出させる噴出孔とを設けたものである。また、特許文献２に記載されたバーナチップは、噴霧媒体室から放射状に複数の噴霧媒体噴出孔を延出し、その先端延長線上に混合体噴出孔を形成して混合体噴出孔をバーナチップの先端に開口し、液体燃料室から燃料噴出孔を延出して燃料噴出孔の先端を混合体噴出孔の側面に開口したものである。
【先行技術文献】
【特許文献】
【０００５】
【特許文献１】特開昭６３−０４９６１５号公報
【特許文献２】特開２０１０−１２７５１８号公報
【発明の概要】
【発明が解決しようとする課題】
【０００６】
バーナチップとしては、特許文献１のように、噴霧媒体と液体燃料を内部に設けた混合室で混合した後、噴出孔から噴出するものと、特許文献２のように、混合体噴出孔の中途部に燃料噴出孔を連結することで、噴霧媒体に対して液体燃料を混合してから噴出するものがある。バーナチップにあっては、特許文献２のように、混合体噴出孔を半径方向及び周方向に所定間隙で複数配列することで、液体燃料の微粒化を向上させた上で、混合体の噴流同士の干渉を防ぎ、燃焼性を向上させることができる。しかし、混合室を有する内部混合型のバーナチップの場合、この混合室での噴霧媒体による液体燃料の拡散が不十分となりやすい。そして、混合体噴出孔の内壁面に液体燃料の膜が形成されてしまい、混合室内である程度均一に液体燃料が分散しても、混合体噴出孔を通過するときに液体燃料の膜により液体燃料を拡散状態で噴射することが困難となる。
【０００７】
本発明は、上述した課題を解決するものであり、流体燃料と噴霧媒体との混合を促進することで流体燃料の噴霧粒径を小さくして燃焼性を向上させることが可能なバーナチップ及び燃焼バーナ並びにボイラを提供することを目的とする。
【課題を解決するための手段】
【０００８】
上記の目的を達成するための本発明のバーナチップは、チップ本体と、前記チップ本体の内部に設けられる混合室と、基端部が前記混合室に連通すると共に先端部が前記チップ本体の先端に開口して前記チップ本体の周方向に所定間隔で配置される複数の混合流体噴出孔と、前記混合流体噴出孔に設けられて通路面積を拡大する段付部と、流体燃料を前記混合室に供給する流体燃料供給通路と、噴霧媒体を前記混合室に供給する噴霧媒体供給通路と、を有することを特徴とするものである。
【０００９】
従って、流体燃料供給通路から供給される流体燃料と噴霧媒体供給通路から供給される噴霧媒体とが混合室で混合され、混合流体が複数の混合流体噴出孔により外部に噴出される。このとき、混合流体噴出孔は、内面に流体燃料の膜が形成されやすいが、通路面積を拡大する段付部が設けられていることから、混合流体が段付部を通過するときにせん断力を受け、混合流体が内面に形成された流体燃料の膜を除去し、高速で混合流体を外部に噴出することができる。その結果、流体燃料と噴霧媒体の混合を促進することで流体燃料の噴霧粒径を小さくして燃焼性を向上させることができる。
【００１０】
本発明のバーナチップでは、前記混合流体噴出孔は、円形の通路形状をなし、前記段付部が全周に設けられることで、前記混合室側に位置する小径の第１噴出孔と、前記チップ本体の先端側に位置する大径の第２噴出孔とが設けられることを特徴としている。
【００１１】
従って、混合流体が第１噴出孔から段付部を介して第２噴出孔に移行するとき、通路面積が急拡大することでせん断力を受け、混合流体が内周面の前面に付着している流体燃料を除去し、高速で混合流体を外部に噴出することができる。
【００１２】
本発明のバーナチップでは、前記噴霧媒体供給通路は、前記チップ本体の基端側に複数設けられ、噴霧媒体を前記混合室に軸心方向に沿って供給可能であり、前記流体燃料供給通路は、前記チップ本体の基端側で前記噴霧媒体供給通路より外側に複数設けられ、流体燃料を前記混合室に径方向に沿って供給可能であることを特徴としている。
【００１３】
従って、混合室に供給された噴霧流体に対して流体燃料が外側から供給されることとなり、混合室での流体燃料の滞留時間を長く確保することができ、混合室にて、流体燃料と噴霧流体との混合を促進することができる。
【００１４】
本発明のバーナチップでは、前記チップ本体における鉛直方向の最上部及び最下部にある前記混合流体噴出孔に対して、前記チップ本体における鉛直方向の最上部と最下部との間にある前記混合流体噴出孔が軸心側に配置されることを特徴としている。
【００１５】
従って、混合流体における流体燃料と周囲の空気との混合を促進して燃焼性を向上することができる。
【００１６】
本発明のバーナチップでは、前記複数の混合流体噴出孔は、前記チップ本体の軸心上にある１点を中心として放射状に形成されることを特徴としている。
【００１７】
従って、複数の混合流体噴出孔の加工性を向上して製造コストを低減することができる。
【００１８】
本発明のバーナチップでは、前記チップ本体は、前記混合流体噴出孔が形成されるスプレイプレートと、前記流体燃料供給通路及び前記噴霧媒体供給通路が形成されるバックプレートとが連結されて構成され、前記スプレイプレートと前記バックプレートにより前記混合室が区画されると共に、前記流体燃料供給通路の一部が区画されることを特徴としている。
【００１９】
従って、チップ本体をスプレイプレートとバックプレートとに分割し、スプレイプレートとバックプレートにより混合室と流体燃料供給通路の一部を区画することで、チップ本体の構造を簡素化し、低コスト化を可能とすることができる。
【００２０】
また、本発明の燃焼バーナは、風箱と、前記風箱における鉛直方向の中央部に配置される燃料コンパートメントと、前記燃料コンパートメントの中央部に配置されるバーナガンと、前記風箱における鉛直方向の上部及び下部に配置される上下一対の補助空気コンパートメントと、を有し、前記バーナガンの先端部に前記バーナチップが配置されることを特徴とするものである。
【００２１】
従って、バーナガンの先端部に配置されたバーナチップは、混合流体噴出孔に通路面積を拡大する段付部が設けられていることから、混合流体が段付部を通過するときにせん断力を受け、混合流体が内面に形成された流体燃料の膜を除去し、高速で混合流体を外部に噴出することができる。その結果、流体燃料と噴霧媒体の混合を促進することで流体燃料の噴霧粒径を小さくして燃焼性を向上させることができる。
【００２２】
また、本発明のボイラは、中空形状をなす火炉内で燃料と空気を燃焼させると共に、前記火炉内で熱交換を行って熱を回収するボイラにおいて、火炉壁に前記燃焼バーナが配置されることを特徴とするものである。
【００２３】
従って、火炉壁に燃焼バーナが配置されていることから、流体燃料と噴霧媒体の混合を促進することで流体燃料の噴霧粒径を小さくして燃焼性を向上させることができる。
【発明の効果】
【００２４】
本発明のバーナチップ及び燃焼バーナ並びにボイラによれば、バーナチップの混合流体噴出孔に通路面積を拡大する段付部を設けるので、流体燃料と噴霧媒体の混合を促進することで流体燃料の噴霧粒径を小さくして燃焼性を向上させることができる。
【図面の簡単な説明】
【００２５】
【図１】図１は、第１実施形態のバーナチップの断面図である。
【図２】図２は、バーナチップの正面図である。
【図３】図３は、バーナチップにおける図１のIII−IIIの断面図である。
【図４】図４は、第１実施形態の油焚きボイラを表す概略構成図である。
【図５】図５は、燃焼バーナの全体構成を表す正面図である。
【図６】図６は、燃焼バーナの断面図である。
【図７】図７は、第２実施形態のバーナチップの断面図である。
【図８】図８は、第３実施形態のバーナチップの正面図である。
【図９】図９は、バーナチップの断面を表す図８のIX−IX断面図である。
【発明を実施するための形態】
【００２６】
以下に添付図面を参照して、本発明のバーナチップ及び燃焼バーナ並びにボイラの好適な実施形態を詳細に説明する。なお、この実施形態により本発明が限定されるものではなく、また、実施形態が複数ある場合には、各実施形態を組み合わせて構成するものも含むものである。
【００２７】
［第１実施形態］
図４は、第１実施形態の油焚きボイラを表す概略構成図である。
【００２８】
第１実施形態の油焚きボイラは、流体燃料としての重油（または、軽油、石炭のスラリーなど）を燃料として用い、この重油を燃焼バーナ（バーナチップ）により噴霧媒体としての蒸気（または、高圧空気、高圧ガス、可燃性ガスなど）により微粒化させて噴霧し、火炉内で燃焼させ、この燃焼により発生した熱を回収することが可能なボイラである。
【００２９】
第１実施形態において、図４に示すように、油焚きボイラ１０は、コンベンショナルボイラであって、火炉１１と燃焼装置１２とを有している。火炉１１は、四角筒の中空形状をなして鉛直方向に沿って設置され、この火炉１１を構成する火炉壁の下部に燃焼装置１２が設けられている。
【００３０】
燃焼装置１２は、火炉壁に装着された複数の燃焼バーナ２１を有している。本実施形態にて、この燃焼バーナ２１は、周方向に沿って、例えば、４個均等間隔で配設されたものが１セットとして、鉛直方向に沿って、例えば、３セット、つまり、３段配置されている。なお、燃焼バーナ２１の配置場所や個数はこれに限定されるものではない。
【００３１】
各燃焼バーナ２１は、燃料供給配管２２を介して燃料供給源２３に連結されており、燃料供給配管２２に燃料供給量を調整可能な流量調整弁２４が設けられている。また、各燃焼バーナ２１は、蒸気供給配管２５を介して蒸気供給源２６に連結されており、蒸気供給配管２５に蒸気供給量を調整可能な流量調整弁２７が設けられている。また、火炉１１は、各燃焼バーナ２１の装着位置に風箱２８が設けられており、この風箱２８に空気ダクト２９の一端部が連結されており、この空気ダクト２９は、他端部に送風機３０が装着されている。
【００３２】
従って、各燃焼バーナ２１は、燃料供給源２３から燃料供給配管２２を通して燃料が供給されると共に、蒸気供給源２６から蒸気供給配管２５を通して蒸気が供給される。また、各燃焼バーナ２１は、空気ダクト１９から排ガスと熱交換して加熱された燃焼用空気が風箱２８に供給される。そのため、燃焼バーナ２１は燃料と蒸気を混合して微粒化した後、混合流体として火炉１１内に噴射すると共に、燃焼用空気を火炉１１内に噴射し、火炉１１内で火炎を形成することができる。
【００３３】
火炉１１は、上部に煙道３１が連結されており、この煙道３１に、対流伝熱部（熱回収部）として排ガスの熱を回収するための過熱器（スーパーヒータ）３２，３３、再熱器３４，３５、節炭器（エコノマイザ）３６，３７，３８が設けられており、火炉１１での燃焼で発生した排ガスと水との間で熱交換が行われる。
【００３４】
煙道３１は、その下流側に熱交換を行った排ガスが排出される排ガス管３９が連結されている。この排ガス管３９は、図示しないが、脱硝装置、電気集塵機、誘引送風機、脱硫装置が設けられ、下流端部に煙突が設けられている。
【００３５】
従って、燃焼装置１２に各燃焼バーナ２１が燃料と蒸気との混合流体を火炉１１内に噴射すると、火炉１１では、混合流体と空気とが燃焼して火炎が生じ、この火炉１１内の下部で火炎が生じると、燃焼ガス（排ガス）がこの火炉１１内を上昇し、煙道３１に排出される。
【００３６】
このとき、図示しない給水ポンプから供給された水は、節炭器３６，３７，３８によって予熱された後、図示しない蒸気ドラムに供給され火炉壁の各水管（図示せず）に供給される間に加熱されて飽和蒸気となり、図示しない蒸気ドラムに送り込まれる。更に、図示しない蒸気ドラムの飽和蒸気は過熱器３２，３３に導入され、燃焼ガスによって過熱される。過熱器３２，３３で生成された過熱蒸気は、図示しない発電プラント（例えば、タービン等）に供給される。また、タービンでの膨張過程の途中で取り出した蒸気は、再熱器３４，３５に導入され、再度過熱されてタービンに戻される。なお、火炉１１をドラム型（蒸気ドラム）として説明したが、この構造に限定されるものではない。
【００３７】
その後、煙道３１の節炭器３６，３７，３８を通過した排ガスは、排ガス管３９にて、図示しない脱硝装置にて、触媒によりＮＯｘなどの有害物質が除去され、電気集塵機で粒子状物質が除去され、脱硫装置により硫黄分が除去された後、煙突から大気中に排出される。
【００３８】
まず、燃焼装置１２について詳細に説明するが、この燃焼装置１２を構成する各燃焼バーナ２１は、ほぼ同様の構成をなしている。図５は、燃焼バーナの全体構成を表す正面図、図６は、燃焼バーナの断面図である。
【００３９】
燃焼バーナ２１において、図５及び図６に示すように、風箱２８は、箱形形状をなし、仕切板５１，５２により燃料コンパートメント５３と上部補助空気コンパートメント５４と下部補助空気コンパートメント５５に区画されている。燃料コンパートメント５３は、風箱２８における鉛直方向の中央部に配置され、風箱２８における鉛直方向の上部に上部補助空気コンパートメント５４が配置され、下部に下部補助空気コンパートメント５５が配置されている。
【００４０】
燃料コンパートメント５３は、燃料用空気ノズル５６と上下の燃料用補助空気ノズル５７，５８を有しており、燃料用空気ノズル５６は、中心部にバーナガン５９が配置され、その周囲に保炎器６０が配置されている。一方、上部補助空気コンパートメント５４は、補助空気ノズル６１を有し、下部補助空気コンパートメント５５は、補助空気ノズル６２を有している。なお、燃料用空気ノズル５６、上下の燃料用補助空気ノズル５７，５８及び補助空気ノズル６１，６２は、上下にチルト可能となっている。
【００４１】
従って、燃焼用空気は、風箱２８内で燃料コンパートメント５３及び各補助空気コンパートメント５４，５５に所定の流量割合で供給され、燃料コンパートメント５３に１次空気が送り込まれ、各補助空気コンパートメント５３，５４に２次空気が送り込まれる。燃料コンパートメント５３に送り込まれた１次空気は、大部分が燃料用空気ノズル５６と燃料用補助空気ノズル５７，５８から有効１次空気として火炉１１内へ高速度で噴出される。各補助空気コンパートメント５４，５５に送り込まれた２次空気は、大部分が補助空気ノズル６１，６２から火炉１１内へ高速度で噴出される。
【００４２】
燃料及び蒸気は、バーナガン５９に圧送され、バーナガン５９の先端部に装着された後述するバーナチップ７１により火炉１１に噴霧され、図示されてない着火源によって着火されて火炎を形成する。火炎は、保炎器６０を有効１次空気が通過するときに旋回流により保炎され、燃焼が継続される。火炎は、燃焼継続が着火点近傍から火炎前半部にかけての燃焼が１次空気で、後半部から燃焼完結までが有効２次空気でそれぞれなされる。
【００４３】
次に、バーナチップ７１について説明する。図１は、第１実施形態のバーナチップの断面図、図２は、バーナチップの正面図、図３は、バーナチップにおける図１のIII−IIIの断面図である。
【００４４】
バーナチップ７１は、図１から図３に示すように、チップ本体としてのスプレイプレート７２及びバックプレート７３から構成され、図示しない締付リングにより一体に連結されている。
【００４５】
スプレイプレート７２は、基端（図１にて、右方）が開口して先端（図１にて、左方）が閉塞した円筒形状をなし、基端部に開口するように円柱形状をなす第１凹部８１が形成されている。また、スプレイプレート７２は、先端部に複数の混合流体噴出孔８２が形成されている。混合流体噴出孔８２は、基端部が第１凹部８１に連通すると共に先端部が外部に開口しており、バーナチップ７１の軸心Ｏ１を中心として周方向に均等間隔で複数（本実施形態では、１０個）設けられている。この場合、各混合流体噴出孔８２は、バーナチップ７１の軸心Ｏ１上にある１点Ｏ２を中心として放射状に形成されており、内径が混合室８４の内径より小さいものとなっている。
【００４６】
バックプレート７３は、円盤形状をなし、先端部に円柱形状をなす第２凹部８３が形成されている。このバックプレート７３に形成された第２凹部８３は、スプレイプレート７２に形成された第１凹部８１と対向し、且つ、各凹部８１，８３は、ほぼ同径に設定されている。本実施形態では、この第１凹部８１と第２凹部８３により混合室８４が構成されており、各混合流体噴出孔８２は、基端部がこの混合室８４に連通することとなる。
【００４７】
バックプレート７３は、第２凹部８３（混合室８４）の外周側に噴出チャンバ８５が周方向に沿ってリング形状をなして形成されている。この噴出チャンバ８５は、複数（本実施形態では、８個）の連通路８６を介して第２凹部８３（混合室８４）と連通している。即ち、各連通路８６は、バックプレート７３の径方向（放射方向）に沿って形成され、一端部が噴出チャンバ８５の内周面に連通し、他端部が第２凹部８３の外周面に連通している。
【００４８】
また、バックプレート７３は、基端部に燃料供給配管２２（燃料供給経路２２ａ）及び蒸気供給配管２５（蒸気供給経路２５ａ）が連結されている。そして、バックプレート７３は、蒸気を蒸気供給経路２５ａから混合室８４に供給する複数の蒸気供給通路（噴霧媒体供給通路）８７が設けられている。この各蒸気供給通路８７は、バックプレート７３にその長手方向に沿って設けられており、基端部が蒸気供給経路２５ａに連通し、先端部が第２凹部８３に連通しており、混合室８４に蒸気を供給可能となっている。
【００４９】
各バックプレート７３は、燃料を燃料供給経路２２ａから混合室８４にその外周側から供給する複数の燃料供給通路（流体燃料供給通路）８８が設けられている。この各燃料供給通路８８は、バックプレート７３にその長手方向に沿って設けられており、基端部が燃料供給経路２２ａに連通し、先端部が噴出チャンバ８５に連通しており、各連通路８６を通して混合室８４に燃料を供給可能となっている。
【００５０】
この場合、燃料供給配管２２と蒸気供給配管２５は２重管であり、蒸気供給配管２５が内側に位置し、この蒸気供給配管２５の外側に燃料供給配管２２が配置されることで、燃料供給経路２２ａと蒸気供給経路２５ａが形成されている。そして、バーナチップ７１は、この２重管（燃料供給配管２２、蒸気供給配管２５）の先端部に交換可能に取付けられている。
【００５１】
そのため、蒸気供給経路２５ａの蒸気は、複数の蒸気供給通路８７を通り、混合室８４に対してバーナチップ７１の軸線方向に沿って蒸気を供給する。一方、燃料供給経路２２ａの燃料は、複数の燃料供給通路８８を通って噴出チャンバ８５に供給され、この噴出チャンバ８５から、複数の連通路８６を通り、混合室８４に対してバーナチップ７１の径方向に沿って燃料を供給可能となっている。
【００５２】
また、バーナチップ７１は、各混合流体噴出孔８２に通路面積を拡大する段付部９１が設けられている。即ち、この混合流体噴出孔８２は、円形の通路形状をなし、混合室８４が外部に連通するように所定長さを有して開口している。そして、混合流体噴出孔８２は、長さ方向（混合流体の噴射方向）の中途部に段付部９１が全周にわたって設けられることで、混合室８４側に位置する小径の第１噴出孔９２と、外部に開口する先端側に位置する大径の第２噴出孔９３とが形成されている。
【００５３】
第１噴出孔９２と第２噴出孔９３は、それぞれ円形の通路形状をなし、各円形の通路は、同心上に位置している。そして、混合室８４側の第１噴出孔９２に対して、先端側の第２噴出孔９３が大径となっており、混合流体噴出孔８２は、中途部で通路面積が急拡大することとなる。段付部９１は、第１噴出孔９２と第２噴出孔９３の間に位置し、混合流体噴出孔８２における長さ方向（混合流体の噴射方向）に対して直交した面となっており、混合流体噴出孔８２の周方向において、径方向の長さが同じとなるリング形状をなしている。なお、この場合、第１噴出孔９２が従来から使用される内径とし、第１噴出孔９２から拡大する第２噴出孔９３を設けることが望ましい。
【００５４】
ここで、上述した第１実施形態のバーナチップ７１（バーナガン５９）の作用について詳細に説明する。なお、図１にて、燃料の流れを黒塗りの矢印で表し、蒸気の流れを白抜きの矢印で表し、燃料と蒸気が混合した混合流体を斜線の矢印で表している。
【００５５】
バーナチップ７１にて、図１に示すように、蒸気が蒸気供給配管２５を通して供給されると、この蒸気は、複数の蒸気供給通路８７を通して混合室８４に軸心Ｏ１方向に沿って供給される。また、燃料が燃料供給配管２２を通して供給されると、この燃料は、複数の燃料供給通路８８、噴出チャンバ８５、連通路８６を通って混合室８４に径方向に沿って外側から供給される。
【００５６】
すると、混合室８４にて、軸心Ｏ１方向に沿って供給された蒸気に対して、径方向に沿って外側から供給された燃料が衝突し、互いにぶつかり合って混合される。即ち、混合室８４に軸心Ｏ１方向に沿って先端の混合流体噴出孔８２側へ流れる蒸気に対して、その外側からほぼ直交するように供給された燃料が衝突することで、燃料が蒸気により拡散されて混合することとなる。また、燃料が混合室８４に対して径方向に供給されることで、燃料が混合流体噴出孔８２側へ直線的に流れず、混合室８４での燃料の滞留時間が長くなり、蒸気により拡散されやすくなる。
【００５７】
そして、混合室８４で効率良く混合された混合流体は、この混合室８４を前方側に流れ、各混合流体噴出孔８２を通して外部に噴出（噴霧）される。このとき、混合流体は、第１噴出孔９２から段付部９１を介して第２噴出孔９３を通って外部に噴出される。燃料と蒸気との混合流体は、燃料の粘度の影響から混合流体噴出孔８２を通過するとき、その内面に燃料が付着し、燃料液膜を形成しやすい。ところが、本実施形態では、混合流体噴出孔８２に通路面積を拡大する段付部９１が設けられている。そのため、混合流体が段付部９１を通過するとき、この混合流体がせん断力を受け、混合流体が混合流体噴出孔８２の内面に形成された燃料液膜を除去し、あるいは、内面に付着せずに高速で外部に噴出されることとなり、流体燃料の噴霧粒径を小さくすることができる。
【００５８】
このように第１実施形態のバーナチップにあっては、内部に設けられる混合室８４と、基端部が混合室８４に連通すると共に先端部が開口して周方向に所定間隔で配置される複数の混合流体噴出孔８２と、混合流体噴出孔８２に設けられて通路面積を拡大する段付部９１と、流体燃料を混合室８４に供給する流体燃料供給通路８８と、蒸気を混合室８４に供給する蒸気供給通路８７とを設けている。
【００５９】
従って、燃料供給通路８８から供給される燃料と蒸気供給通路８７から供給される蒸気とが混合室８４で混合され、混合流体が複数の混合流体噴出孔８２により外部に噴出される。このとき、混合流体噴出孔８２は、内面に燃料液膜が形成されやすいが、通路面積を拡大する段付部９１が設けられていることから、混合流体が段付部９１を通過するときにせん断力を受け、混合流体が内面に形成された燃料液膜を除去し、高速で混合流体を外部に噴出することができる。その結果、燃料と蒸気の混合を促進することで燃料の噴霧粒径を小さくして燃焼性を向上させることができる。
【００６０】
第１実施形態のバーナチップでは、混合流体噴出孔８２は、円形の通路形状をなし、段付部９１を全周に設けることで、混合室８４側に位置する小径の第１噴出孔９２と、先端側に位置する大径の第２噴出孔９３とを設けている。従って、混合流体が第１噴出孔９２から段付部９１を介して第２噴出孔９３に移行するとき、通路面積が急拡大することでせん断力を受け、混合流体が内周面の前面に付着している燃料液膜を除去し、高速で混合流体を外部に噴出することができる。
【００６１】
第１実施形態のバーナチップでは、蒸気供給通路８７をバックプレート７３に複数設け、蒸気を混合室８４に軸心方向に沿って供給可能とし、燃料供給通路８８をバックプレート７３に蒸気供給通路８７より外側に複数設け、燃料を混合室８４に径方向に沿って供給可能としている。従って、混合室８４に供給された蒸気に対して燃料が外側から供給されることとなり、混合室８４での燃料の滞留時間を長く確保することができ、混合室８４にて、燃料と蒸気との混合を促進することができる。
【００６２】
第１実施形態のバーナチップでは、混合流体噴出孔８２が形成されるスプレイプレート７２と、燃料供給通路８８及び蒸気供給通路８７が形成されるバックプレート７３とを連結し、スプレイプレート７２とバックプレート７３により混合室８４を区画すると共に、燃料供給通路を構成する噴出チャンバ８５と連通路８６を区画している。従って、バーナチップ７１の構造を簡素化し、低コスト化を可能とすることができる。
【００６３】
また、第１実施形態の燃焼バーナにあっては、風箱２８と燃料コンパートメント５３とバーナガン５９と上下一対の補助空気コンパートメント５４，５５とを有し、バーナガン５９の先端部にバーナチップ７１を配置している。また、第１実施形態のボイラは、中空形状をなす火炉１１内で燃料と空気を燃焼させると共に、火炉１１内で熱交換を行って熱を回収するボイラであって、火炉壁に燃焼バーナ２１を配置している。
【００６４】
従って、バーナガン５９の先端部に配置されたバーナチップ７１は、混合流体噴出孔８２に通路面積を拡大する段付部９１が設けられていることから、混合流体が段付部９１を通過するときにせん断力を受け、混合流体が内面に形成された燃料液膜を除去し、高速で混合流体を外部に噴出することができる。その結果、燃料と蒸気の混合を促進することで流体燃料の噴霧粒径を小さくして燃焼性を向上させることができる。
【００６５】
［実施形態２］
図７は、第２実施形態のバーナチップの断面図である。なお、上述した実施形態と同様の機能を有する部材には、同一の符号を付して詳細な説明は省略する。
【００６６】
第２実施形態において、図７に示すように、バーナチップ１０１は、スプレイプレート７２とバックプレート７３とから構成されている。スプレイプレート７２は、基端部に第１凹部８１が形成され、先端部に複数の混合流体噴出孔８２が形成されている。バックプレート７３は、先端部に第２凹部８３が形成され、第１凹部８１と第２凹部８３により混合室８４が構成されている。
【００６７】
バックプレート７３は、第２凹部８３の外周側に噴出チャンバ８５が形成され、噴出チャンバ８５は、複数の連通路８６を介して第２凹部８３に連通している。また、バックプレート７３は、基端部に燃料供給配管２２及び蒸気供給配管２５が連結され、燃料を燃料供給経路２２ａから混合室８４に供給する複数の燃料供給通路８８が設けられると共に、蒸気を蒸気供給経路２５ａから混合室８４にその外周側から供給する複数の蒸気供給通路８７が設けられている。
【００６８】
また、バーナチップ１０１は、各混合流体噴出孔８２に通路面積を拡大する段付部９１が設けられている。即ち、この混合流体噴出孔８２は、円形の通路形状をなし、混合室８４が外部に連通するように所定長さを有して開口している。そして、混合流体噴出孔８２は、長さ方向（混合流体の噴射方向）の中途部に段付部９１が全周にわたって設けられることで、混合室８４側に位置する小径の第１噴出孔９２と、外部に開口する先端側に位置する大径の第２噴出孔９３とを有している。
【００６９】
そのため、燃料が燃料供給配管２２を通して供給されると、この燃料は、複数の燃料供給通路８８を通して混合室８４に軸心Ｏ１方向に沿って供給される。また、蒸気が蒸気供給配管２５を通して供給されると、この蒸気は、複数の蒸気供給通路８７、噴出チャンバ８５、連通路８６を通って混合室８４に径方向に沿って外側から供給される。
【００７０】
すると、混合室８４にて、軸心Ｏ１方向に沿って供給された燃料に対して、径方向に沿って外側から供給された蒸気が衝突し、互いにぶつかり合って混合される。即ち、混合室８４に軸心Ｏ１方向に沿って先端の混合流体噴出孔８２側へ流れる燃料に対して、その外側からほぼ直交するように供給された蒸気が衝突することで、燃料が蒸気により拡散されて混合することとなる。
【００７１】
そして、混合室８４で効率良く混合された混合流体は、この混合室８４を前方側に流れ、各混合流体噴出孔８２を通して外部に噴出（噴霧）される。このとき、混合流体は、第１噴出孔９２から段付部９１を介して第２噴出孔９３を通って外部に噴出される。燃料と蒸気との混合流体は、燃料の粘度の影響から混合流体噴出孔８２を通過するとき、その内面に燃料が付着し、燃料液膜を形成しやすい。ところが、本実施形態では、混合流体噴出孔８２に通路面積を拡大する段付部９１が設けられている。そのため、混合流体が段付部９１を通過するとき、この混合流体がせん断力を受け、混合流体が混合流体噴出孔８２の内面に形成された燃料液膜を除去し、あるいは、内面に付着せずに高速で外部に噴出されることとなり、流体燃料の噴霧粒径を小さくすることができる。
【００７２】
このように第２実施形態のバーナチップにあっては、内部に設けられる混合室８４と、基端部が混合室８４に連通すると共に先端部が開口して周方向に所定間隔で配置される複数の混合流体噴出孔８２と、混合流体噴出孔８２に設けられて通路面積を拡大する段付部９１と、流体燃料を混合室８４に供給する流体燃料供給通路８８と、流体燃料供給通路８８の外側で蒸気を混合室８４に供給する蒸気供給通路８７とを設けている。
【００７３】
従って、燃料供給通路８８から混合室８４の軸心方向に供給される燃料に対して、蒸気供給通路８７から混合室８４の径方向に供給される蒸気が衝突して混合され、混合流体が複数の混合流体噴出孔８２により外部に噴出される。このとき、混合流体噴出孔８２は、内面に燃料液膜が形成されやすいが、通路面積を拡大する段付部９１が設けられていることから、混合流体が段付部９１を通過するときにせん断力を受け、混合流体が内面に形成された燃料液膜を除去し、高速で混合流体を外部に噴出することができる。その結果、燃料と蒸気の混合を促進することで燃料の噴霧粒径を小さくして燃焼性を向上させることができる。
【００７４】
［実施形態３］
図８は、第３実施形態のバーナチップの正面図、図９は、バーナチップの断面を表す図８のIX−IX断面図である。なお、上述した実施形態と同様の機能を有する部材には、同一の符号を付して詳細な説明は省略する。
【００７５】
第３実施形態において、図５及び図６に示すように、燃焼バーナ２１は、風箱２８に燃料コンパートメント５３と上部補助空気コンパートメント５４と下部補助空気コンパートメント５５が設けられて構成されている。燃料コンパートメント５３は、燃料用空気ノズル５６を有しており、この燃料用空気ノズル５６は、中心部にバーナガン５９か配置され、その周囲に保炎器６０が配置されている。そして、バーナガン５９は、先端部に後述するバーナチップ１１１が装着されている。
【００７６】
バーナチップ１１１は、図８及び図９に示すように、スプレイプレート７２とバックプレート７３とから構成されている。スプレイプレート７２は、基端部に第１凹部８１が形成され、先端部に複数の混合流体噴出孔１１２，１１３，１１４が形成されている。バックプレート７３は、先端部に第２凹部８３が形成され、第１凹部８１と第２凹部８３により混合室８４が構成されている。
【００７７】
バックプレート７３は、第２凹部８３の外周側に噴出チャンバ８５が形成され、噴出チャンバ８５は、複数の連通路８６を介して第２凹部８３に連通している。また、バックプレート７３は、基端部に燃料供給配管２２及び蒸気供給配管２５が連結され、蒸気を蒸気供給経路２５ａから混合室８４に供給する複数の蒸気供給通路８７が設けられると共に、燃料を燃料供給経路２２ａから混合室８４にその外周側から供給する複数の燃料供給通路８８が設けられている。
【００７８】
本実施形態にて、鉛直方向の最上部及び最下部にある混合流体噴出孔１１２に対して、鉛直方向の最上部と最下部との間にある混合流体噴出孔１１３，１１４が軸心Ｏ１側に配置されている。即ち、複数の混合流体噴出孔１１２，１１３，１１４は、軸心Ｏ１上にある１点Ｏ２を中心として放射状に形成されている。そして、鉛直方向の最上部及び最下部にある混合流体噴出孔１１２は、軸心Ｏ１１が軸心Ｏ１に対して傾斜角度θ１をもって形成されている。また、鉛直方向の最上部と最下部との間にある混合流体噴出孔１１３，１１４は、軸心Ｏ１２，Ｏ１３が軸心Ｏ１に対して傾斜角度θ２、θ３をもって形成されている。ここで、傾斜角度θ１、θ２、θ３の関係は、θ１＞θ２＞θ３となっており、鉛直方向の最上部及び最下部にある混合流体噴出孔１１２の傾斜角度θ１から、鉛直方向の最上部と最下部との間にある混合流体噴出孔１１３，１１４の傾斜角度θ２、θ３に向けて、小さく設定されている。
【００７９】
そのため、２つの混合流体噴出孔１１２は、軸心Ｏ１を中心とする円弧Ｃ１に沿って開口し、４つの混合流体噴出孔１１３は、軸心Ｏ１を中心とする円弧Ｃ２に沿って開口し、４つの混合流体噴出孔１１４は、軸心Ｏ１を中心とする円弧Ｃ３に沿って開口している。ここで、円弧Ｃ１，Ｃ２，Ｃ３の関係は、Ｃ１＞Ｃ２＞Ｃ３となっている。なお、軸心Ｏ１に対して左右の水平方向の位置、つまり、軸心Ｏ１４の位置には、混合流体噴出孔を設けていない。
【００８０】
また、バーナチップ１１１は、各混合流体噴出孔１１２，１１３，１１４に通路面積を拡大する段付部１２１，１２４，１２７が設けられている。即ち、この混合流体噴出孔１１２，１１３，１１４は、円形の通路形状をなし、混合室８４が外部に連通するように所定長さを有して開口している。そして、混合流体噴出孔１１２，１１３，１１４は、長さ方向（混合流体の噴射方向）の中途部に段付部１２１，１２４，１２７が全周にわたって設けられることで、混合室８４側に位置する小径の第１噴出孔１２２，１２５，１２８と、外部に開口する先端側に位置する大径の第２噴出孔１２３，１２６，１２９が形成されている。
【００８１】
そのため、図５及び図６に示すように、燃料コンパートメント５３は、１次空気を燃料用空気ノズル５６と燃料用補助空気ノズル５７，５８から火炉１１内へ高速度で噴出し、各補助空気コンパートメント５４，５５は、２次空気を補助空気ノズル６１，６２から火炉１１内へ高速度で噴出する。一方、バーナガン５９は、バーナチップ１１１から燃料と蒸気の混合流体を火炉１１に噴霧して火炎を形成する。
【００８２】
このとき、図８及び図９に示すように、バーナチップ１１１は、最上部と最下部にある混合流体噴出孔１１２が最も外側に向けて混合流体を噴出し、軸心Ｏ１に近い混合流体噴出孔１１４が最も内側に向けて混合流体を噴出する。即ち、図５及び図６に示すように、燃焼バーナ２１は、鉛直方向の中間部に燃料コンパートメント５３が配置され、その上方及び下方に補助空気コンパートメント５４，５５が配置されている。そのため、図８及び図９に示すように、バーナチップ１１１は、燃料コンパートメント５３の中央部に配置されていることから、混合流体噴出孔１１２から、補助空気が噴出される補助空気コンパートメント５４，５５側、つまり、上方側及び下方側に混合流体を噴出することで、燃料と空気の混合が促進される。一方、燃焼バーナ２１は、燃料コンパートメント５３の側方に補助空気コンパートメントが配置されていないことから、混合流体噴出孔１１２，１１３，１１４から軸心Ｏ１側に混合流体を噴出することで、燃料と空気の混合が促進される。
【００８３】
また、バーナチップ１１１にて、図８及び図９に示すように、蒸気は、複数の蒸気供給通路８７を通して混合室８４に軸心Ｏ１方向に沿って供給され、燃料は、複数の燃料供給通路８８、噴出チャンバ８５、連通路８６を通って混合室８４に径方向に沿って外側から供給される。すると、混合室８４にて、軸心Ｏ１方向に沿って供給された蒸気に対して、径方向に沿って外側から供給された燃料が衝突し、互いにぶつかり合って混合される。
【００８４】
そして、混合室８４で効率良く混合された混合流体は、この混合室８４を前方側に流れ、各混合流体噴出孔１１２，１１３，１１４を通して外部に噴出（噴霧）される。このとき、混合流体は、第１噴出孔１２２，１２５，１２８から段付部１２１，１２４，１２７を介して第２噴出孔１２３，１２６，１２９を通って外部に噴出される。そのため、混合流体が段付部１２１，１２４，１２７を通過するとき、この混合流体がせん断力を受け、混合流体が混合流体噴出孔１１２，１１３，１１４の内面に形成された燃料液膜を除去し、あるいは、内面に付着せずに高速で外部に噴出されることとなり、流体燃料の噴霧粒径を小さくすることができる。
【００８５】
このように第３実施形態のバーナチップ及び燃焼バーナにあっては、基端部が混合室８４に連通すると共に先端部が開口して周方向に所定間隔で配置される複数の混合流体噴出孔１１２，１１３，１１４と、混合流体噴出孔１１２，１１３，１１４に設けられて通路面積を拡大する段付部１２１，１２４，１２７とを設け、鉛直方向の最上部及び最下部にある混合流体噴出孔１１２に対してその間にある混合流体噴出孔１１３，１１４を軸心Ｏ１側に配置している。
【００８６】
従って、混合流体が混合流体噴出孔１１２，１１３，１１４を通過するとき、段付部１２１，１２４，１２７によりせん断力を受け内面に形成された燃料液膜を除去し、高速で外部に噴出される。その結果、燃料と蒸気の混合を促進することで燃料の噴霧粒径を小さくして燃焼性を向上させることができる。また、混合流体噴出孔１１２，１１３，１１４から噴出された混合流体における液体燃料と、周囲の空気（１次空気及び２次空気）との混合を促進して燃焼性を向上することができる。
【００８７】
第２実施形態のバーナチップでは、複数の混合流体噴出孔１１２，１１３，１１４は、軸心Ｏ１上にある１点Ｏ２を中心として放射状に形成されている。従って、複数の混合流体噴出孔１１２，１１３，１１４の加工性を向上して製造コストを低減することができる。
【００８８】
なお、上述した実施形態では、混合流体噴出孔に１つの段付部を設けたが、２つ以上の段付部を設けてもよい。また、混合流体噴出孔の中途部に段付部を設けたが、混合室側や先端側に設けてもよい。
【００８９】
また、上述した実施形態では、スプレイプレートの先端部に１０個の混合流体噴出孔を設けたが、この数や位置は、各実施形態に限定されるものではなく、例えば、複数の混合流体噴出孔を周方向に沿って設けると共に、径方向に沿って設けてもよい。
【符号の説明】
【００９０】
１０  油焚きボイラ
１１  火炉
１２  燃焼装置
２１  燃焼バーナ
２２  燃料供給配管
２５  蒸気供給配管
２８  風箱
５３  燃料コンパートメント
５４  上部補助空気コンパートメント
５５  下部補助空気コンパートメント
５９  バーナガン
７１，１０１，１１１  バーナチップ
７２  スプレイプレート（チップ本体）
７３  バックプレート（チップ本体）
８２，１１２，１１３，１１４  混合流体噴出孔
８４  混合室
８５  噴出チャンバ
８６  連通路
８７  蒸気供給通路（噴霧媒体供給通路）
８８  燃料供給通路（流体燃料供給通路）
９１，１２１，１２４，１２７  段付部
９２，１２２，１２５，１２８  第１噴出孔
９３，１２３，１２６，１２９  第２噴出孔
【図１】
2015064131.tif 000003
【図２】
2015064131.tif 000004
【図３】
2015064131.tif 000005
【図４】
2015064131.tif 000006
【図５】
2015064131.tif 000007
【図６】
2015064131.tif 000008
【図７】
2015064131.tif 000009
【図８】
2015064131.tif 000010
【図９】
2015064131.tif 000011